(57)【要約】 【課題】  シリアル通信を用いて迅速かつ効率よく画像データを送受信することのできる携帯情報端末を提供する。【解決手段】  携帯電話機から規定の電源電圧Ｐ［Ｖ］がディジタルカメラに供給されると（ｔ０）、ディジタルカメラは動作を開始してデータ出力信号線Ｌ１ｃの状態をハイインピーダンスから“Ｈ”に変化させる。このときディジタルカメラは各部の初期化と、撮像した第１番目の画像処理を行なった後（Ｍ０）、データ出力信号線Ｌ１ｃを“Ｌ”にする（ｔ１）。携帯電話機はデータ出力信号線Ｌ１ｃの“Ｌ”状態を検出し、データ要求信号線Ｌ１ｂからクロック信号Ｃ１をディジタルカメラに出力する（ｔ２）。このクロック信号Ｃ１に応じてディジタルカメラは、画像データＳ１をデータ出力信号線Ｌ１ｃに出力する。【選択図】    図２
2005341617.tif 000002
【特許請求の範囲】
【請求項１】
画像データの送信を要求する送信要求信号をディジタルカメラに出力する端末側出力手段と、
前記端末側出力手段による前記送信要求信号の出力に応じて、前記ディジタルカメラから送信される前記画像データを受信する受信手段と、
前記ディジタルカメラに供給する電源のオン／オフを制御する制御部とを備え、
前記受信手段による前記画像データの受信が中止される場合に、前記制御部は、前記ディジタルカメラへの電源のオフ制御を行う
ことを特徴とする携帯情報端末。
【請求項２】
画像データの送信を要求する送信要求信号をディジタルカメラに出力する端末側出力手段と、
前記端末側出力手段による前記送信要求信号の出力に応じて、前記ディジタルカメラから送信される前記画像データを受信する受信手段と、
前記ディジタルカメラに供給する電源のオン／オフを制御する制御部と、
無線通信により送受信を行なう通信機能を備えると共に着信を検出する無線通信部とを備え、
前記受信手段による前記画像データの受信中に着信が検出された場合に、前記制御部は、前記ディジタルカメラに供給する電源のオフ制御を行う
ことを特徴とする携帯情報端末。
【請求項３】
ディジタルカメラから通知される画像データ送信可能状態を示す送信準備信号を検出する端末側検出手段を備え、
前記端末側出力手段は、前記端末側検出手段による前記送信準備信号の検出後、前記画像データの送信を要求する送信要求信号を前記ディジタルカメラに出力し、
前記受信手段は、前記端末側出力手段による前記送信要求信号の出力に応じて、前記ディジタルカメラから送信される前記画像データを受信し、
前記画像データの受信の際に、前記送信要求信号が所定の期間以上中断した場合には、前記受信手段は前記画像データの受信を中止し、前記端末側検出手段によって前記送信準備信号が検出された後に、前記端末側出力手段は前記ディジタルカメラに前記送信要求信号を出力して、
前記受信手段により前記ディジタルカメラから画像データを受信する
ことを特徴とする請求項１または請求項２に記載の携帯情報端末。
【請求項４】
前記所定の期間は、前記ディジタルカメラが画像を撮像し記憶する周期であることを特徴とする請求項３に記載の携帯情報端末。
【請求項５】
画像データを所定の間隔で撮像可能なディジタルカメラから通知される画像データ送信可能状態を示す送信準備信号を検出する端末側検出手段を備え、
前記端末側出力手段は、前記端末側検出手段による前記送信準備信号の検出後、前記画像データの送信を要求する送信要求信号を前記ディジタルカメラに出力し、
前記受信手段は、前記端末側出力手段による前記送信要求信号の出力に応じて、前記ディジタルカメラから送信される前記画像データを受信し、
前記画像データの受信の際に、前記送信要求信号が前記所定の間隔以上中断した場合には、前記受信手段による前記画像データの受信を中止する
ことを特徴とする請求項１または請求項２に記載の携帯情報端末。
【請求項６】
前記画像データの受信を中止した後、前記端末側出力手段から前記ディジタルカメラに前記送信要求信号が出力された際に前記受信手段が前記ディジタルカメラから受信する前記画像データは新たな１画像単位のデータであることを特徴とする請求項３または請求項４に記載の携帯情報端末。
【請求項７】
前記受信手段が前記画像データの受信を中止した後、前記端末側検出手段が前記送信準備信号を検出した場合、前記端末側出力手段は前記ディジタルカメラに前記送信要求信号を出力し、前記受信手段は前記ディジタルカメラから新たな１画像単位のデータを受信することを特徴とする請求項５に記載の携帯情報端末。
【請求項８】
前記受信手段は、受信した画像データに含まれる受信異常判別信号に基づいて当該画像データ受信時の異常を検出することを特徴とする請求項１〜請求項７のいずれかの項に記載の携帯情報端末。
【発明の詳細な説明】
【技術分野】
【０００１】
本発明は、画像データの送信又は受信を行なう携帯情報端末に関する。
【背景技術】
【０００２】
現在、携帯電話やＰＨＳ（Personal Handyphone System）等の携帯情報端末では、その表示画面にカラーＬＣＤ（Liquid Crystal Display）が採用され、鮮明なカラー画像を表示することが可能になっている。この機能を利用して、ディジタルカメラで撮影した画像データを上記端末へ送信して表示画面に表示したり、さらにはその画像を上記端末の無線通信機能を利用して外部へ送信することが行なわれつつある。
ところで、ディジタルカメラから画像データを携帯情報端末に送信する場合、携帯情報端末の既存の端子を使用してより少ない信号線により相互接続可能なことが好ましい。例えば端末のイヤホンマイク端子等を利用できると便利であるが、この場合には、使用可能な信号線の本数は２〜３本程度に限られるため、上記画像データの送信にはＥＩＡ（Electronic Industries Association）で定められている規格「ＲＳ−２３２Ｃ」によるシリアル通信が用いられるのが一般的である。このシリアル通信では、上記携帯情報端末とディジタルカメラ間で通信開始時に所定のコマンドを送受信し、相互に通信可能な状態であることの確認を行なった後に画像データを送受信する（ハンドシェイク動作）。又、個々に送受信されるデータの１バイト単位に開始と終了を識別する情報が付加されている。
【発明の開示】
【発明が解決しようとする課題】
【０００３】
しかしながら、シリアル通信の場合、上記したように通信開始時にハンドシェイク動作によるコマンドの送受信をおこなうため、迅速に画像データの送信を開始することができないという問題があった。又、携帯情報端末とディジタルカメラ間で送受信されるデータは、上記したように１バイト単位で識別情報が付加されているため、例えば送信しようとするデータの各１バイト（＝８ビット）の内２ビットが識別情報として付加されている場合では、上記１バイトで送信可能なデータ自体の情報量は６ビットに過ぎず、データ自体を効率よく送受信することができないという問題があった。
又、送受信するデータの信号線の数を増やすことでシリアル通信に比べて通信速度を高くすることができるパラレル通信も知られている。しかし、パラレル通信では、上記携帯情報端末や、ディジタルカメラのように小型軽量かつ低コストが要求される機器の接続端子の信号線の数を増加させる必要が有り、それにともない端末のコストが増大する問題があり好ましくない。
【０００４】
本発明は、上記問題点に鑑みてなされたもので、簡易に、迅速かつ効率よく画像データを送受信することのできる、特にシリアル通信を用いて画像データを送受信する携帯情報端末を提供することを目的とする。
【課題を解決するための手段】
【０００５】
上記問題点を解決するために、請求項１に記載の発明は、画像データの送信を要求する送信要求信号をディジタルカメラに出力する端末側出力手段と、前記端末側出力手段による前記送信要求信号の出力に応じて、前記ディジタルカメラから送信される前記画像データを受信する受信手段と、前記ディジタルカメラに供給する電源のオン／オフを制御する制御部とを備え、前記受信手段による前記画像データの受信が中止される場合に、前記制御部は、前記ディジタルカメラへの電源のオフ制御を行うことを特徴とする。
【０００６】
請求項２に記載の発明は、画像データの送信を要求する送信要求信号をディジタルカメラに出力する端末側出力手段と、前記端末側出力手段による前記送信要求信号の出力に応じて、前記ディジタルカメラから送信される前記画像データを受信する受信手段と、前記ディジタルカメラに供給する電源のオン／オフを制御する制御部と、無線通信により送受信を行なう通信機能を備えると共に着信を検出する無線通信部とを備え、前記受信手段による前記画像データの受信中に着信が検出された場合に、前記制御部は、前記ディジタルカメラに供給する電源のオフ制御を行うことを特徴とする。
【０００７】
請求項３に記載の発明は、ディジタルカメラから通知される画像データ送信可能状態を示す送信準備信号を検出する端末側検出手段を備え、前記端末側出力手段は、前記端末側検出手段による前記送信準備信号の検出後、前記画像データの送信を要求する送信要求信号を前記ディジタルカメラに出力し、前記受信手段は、前記端末側出力手段による前記送信要求信号の出力に応じて、前記ディジタルカメラから送信される前記画像データを受信し、前記画像データの受信の際に、前記送信要求信号が所定の期間以上中断した場合には、前記受信手段は前記画像データの受信を中止し、前記端末側検出手段によって前記送信準備信号が検出された後に、前記端末側出力手段は前記ディジタルカメラに前記送信要求信号を出力して、前記受信手段により前記ディジタルカメラから画像データを受信することを特徴とする。
【０００８】
請求項４に記載の発明は、前記所定の期間は、前記ディジタルカメラが画像を撮像し記憶する周期であることを特徴とする。
【０００９】
請求項５に記載の発明は、画像データを所定の間隔で撮像可能なディジタルカメラから通知される画像データ送信可能状態を示す送信準備信号を検出する端末側検出手段を備え、前記端末側出力手段は、前記端末側検出手段による前記送信準備信号の検出後、前記画像データの送信を要求する送信要求信号を前記ディジタルカメラに出力し、前記受信手段は、前記端末側出力手段による前記送信要求信号の出力に応じて、前記ディジタルカメラから送信される前記画像データを受信し、前記画像データの受信の際に、前記送信要求信号が前記所定の間隔以上中断した場合には、前記受信手段による前記画像データの受信を中止することを特徴とする。
【００１０】
請求項６に記載の発明は、前記画像データの受信を中止した後、前記端末側出力手段から前記ディジタルカメラに前記送信要求信号が出力された際に前記受信手段が前記ディジタルカメラから受信する前記画像データは新たな１画像単位のデータであることを特徴とする。
【００１１】
請求項７に記載の発明は、前記受信手段が前記画像データの受信を中止した後、前記端末側検出手段が前記送信準備信号を検出した場合、前記端末側出力手段は前記ディジタルカメラに前記送信要求信号を出力し、前記受信手段は前記ディジタルカメラから新たな１画像単位のデータを受信することを特徴とする。
【００１２】
請求項８に記載の発明は、前記受信手段は、受信した画像データに含まれる受信異常判別信号に基づいて当該画像データ受信時の異常を検出することを特徴とする。
【発明の効果】
【００１３】
以上説明したように、請求項１記載の本発明によれば、ディジタルカメラから通知される画像データの送信可能な状態を携帯情報端末（携帯電話機）が検出し、上記通知に基づいてディジタルカメラから送信される画像データを携帯情報端末で受信するので、従来のように所定のコマンドを送受信して送信開始の確認(ハンドシェイク)を相互に行なう必要がなく、画像データを迅速に携帯情報端末に送信することができる。又、所定の期間以上の期間、携帯情報端末の送信要求信号が中断した後に、画像データの送受信を正常に再開することができる。
【００１４】
又、請求項２記載の本発明によれば、ディジタルカメラの画像更新間隔以上の期間、携帯情報端末の送信要求信号が中断した後に、画像データの送受信を正常に再開することができる。
【００１５】
又、請求項３記載の本発明によれば、画像データを受信しない時はディジタルカメラに電源を供給しないので、電源の浪費を防止することができる。
【００１６】
又、請求項６記載の本発明によれば、携帯情報端末は受信した画像データに含まれる受信異常判別信号（ヘッダの情報）に基づいて画像データ受信時の異常を検出するので、異常受信された画像データを携帯情報端末に取得したり表示させる誤りを防止できる。
【発明を実施するための最良の形態】
【００１７】
以下、図面を参照して本発明の実施の形態について説明する。ここでは本発明による携帯情報端末の一例として携帯電話機について説明する。
図１は、本発明の一実施の形態による携帯電話機及びディジタルカメラの構成を示したブロック図である。この図において、携帯電話機３０はディジタルカメラ５０から所定の信号線を介して受信した画像データを適宜記憶したり閲覧可能に表示する。一方、ディジタルカメラ５０は携帯電話機３０から供給される電源により動作して、撮像した画像データを所定の信号線を介して携帯電話機３０に送信する。又、携帯電話機３０とディジタルカメラ５０は信号線Ｌ１ａ〜Ｌ１ｃで接続されていて、携帯電話機情報端末３０からディジタルカメラ５０に電源を供給する電源線Ｌ１ａ、携帯電話機３０からディジタルカメラ５０に画像データの送信要求信号を出力するデータ要求信号線Ｌ１ｂ、ディジタルカメラ５０から携帯電話機３０に送信準備信号及び画像データを出力（送信）するデータ出力信号線Ｌ１ｃからなる。なお、信号線Ｌ１ａ〜Ｌ１ｃは、例えば携帯電話機３０のイヤホンマイク接続端子Ｊ１に接続される。
【００１８】
次に携帯電話機３０の構成について説明する。
電話機制御部２はデータ出力信号線Ｌ１ｃを介してディジタルカメラ５０から出力される画像データの送信可能な状態を示す送信準備信号を検出する機能（端末側検出手段）と、データ要求信号線Ｌ１ｂを介してディジタルカメラ５０に画像データの送信を要求する送信要求信号を出力する機能（端末側出力手段）と、データ出力信号線Ｌ１ｃを介してディジタルカメラ５０から送信される画像データを受信する機能（受信手段）とを備える。又、電話機制御部２は電源線Ｌ１ａを介してディジタルカメラ５０に供給する電源のオン／オフの制御を行なう。さらに、携帯電話機３０の各部の制御を行なう。この電話機制御部２は、例えば中央演算処理装置（ＣＰＵ：Central Processing Unit）により構成され、あらかじめＲＯＭ（Read Only Memory）等に格納されている電話機制御部２の機能を実現するためのプログラムを実行することによりその機能を実現するものである。
【００１９】
メモリ４は、携帯電話機３０の各機能に応じた情報を記憶するメモリで、例えば電話帳機能による電話番号やディジタルカメラ５０から受信した画像データが電話機制御部２の動作に基づき記憶される。
【００２０】
表示部６は、携帯電話機３０の各機能の動作の状態を表示するもので、例えば着信時の発信元の電話番号や電波の状態、バッテリの残量、又はディジタルカメラ５０から受信した画像データを閲覧可能に適宜表示する。
【００２１】
電源部８は、ディジタルカメラ５０の各部に電源を供給するもので、電話機制御部２の動作に基づき電源供給のオン／オフが制御される。
【００２２】
操作部１０は、電話機能使用時やディジタルカメラ５０から画像データ受信時等においてユーザが携帯電話機３０の各機能を実行するために操作するもので、数字や文字を入力するキーや各機能を選択するためのメニューキー等（図示せず）を備えている。又、無線通信部７０は携帯電話機３０の電話機能を構成するもので、無線通信による送受信を行なうための無線部７０ａ、通話するためのスピーカ７０ｂ、マイク７０ｃを備えている。又、上記構成において、無線通信部７０は従来の携帯電話機の構成と同じであり詳細な説明は省略する。
【００２３】
次にディジタルカメラ５０の構成について説明する。
カメラ制御部２２は、データ出力信号線Ｌ１ｃを介して携帯電話機３０に画像データの送信可能な状態を示す送信準備信号を出力する機能（カメラ側出力手段）と、データ要求信号線Ｌ１ｂを介して携帯電話機３０からの画像データの送信を要求する送信要求信号を検出する機能（カメラ側検出手段）と、データ出力信号線Ｌ１ｃを介して携帯電話機３０に画像データを送信する機能（送信手段）とを備える。又、ディジタルカメラ５０の各部の制御を行なう。このカメラ制御部２２は、例えば中央演算処理装置（ＣＰＵ：Central Processing Unit）により構成され、あらかじめＲＯＭ（Read Only Memory）等に格納されているカメラ制御部２２の機能を実現するためのプログラムを実行することによりその機能を実現するものである。
【００２４】
メモリ２４は、ディジタルカメラ５０で撮像された画像データを順次記憶するメモリで、画像データは、例えば１画像単位で、順次に記憶される。又、撮像部２６はディジタルカメラ５０の撮像機能を構成するもので、例えばレンズやＣＣＤ（Charge Coupled Device）等（図示せず）を備え、カメラ制御部２２の動作に基づき被写体を撮像する。撮像部２６で撮像された画像はカメラ制御部２２により処理され画像データとしてメモリ２４に記憶される。又、ディジタルカメラ５０は、例えばカメラ制御部２２の動作に基づき自動的に所定の周期で撮像部２６で画像を撮像してメモリ２４に画像データを記憶するもので、上記所定の周期でメモリ２４の画像データが更新される。
【００２５】
次に、ディジタルカメラ５０から携帯電話機３０に画像データを送信する動作について説明する。図２は、ディジタルカメラ５０から携帯電話機３０へ画像データを送信する場合のタイミング図である。ここで、画像データＳ１はディジタルカメラの１画像の画像データ本体と後述するヘッダ及びエンドマーカからなる。この図において、携帯電話機３０から電源線Ｌ１ａにより規定の電源電圧Ｐ［Ｖ］がディジタルカメラ５０に供給されると（時刻ｔ０）、ディジタルカメラ５０は動作を開始し、カメラ制御部２２がデータ出力信号線Ｌ１ｃをハイインピーダンス（Ｈｉｚ）の状態から“Ｈ”（ハイ）の状態に変化させる。これによりディジタルカメラ５０は画像データの送信準備中であることを携帯電話機３０に通知する。このときカメラ制御部２２ではディジタルカメラ５０の各部を初期化した後、撮像部２６で撮像された第１番目の画像処理（１画像分の画像データをメモリ２４に書き込む処理を含む）を行なう（時間Ｍ０）。又、時間Ｍ０の間、データ出力信号線Ｌ１ｃ（１）は“Ｈ”状態に保持される。上記処理が終了すると、カメラ制御部２２はデータ出力信号線Ｌ１ｃを“Ｌ”（ロー，「送信準備信号」）状態にする（時刻ｔ１）。これにより画像データの送信準備が完了したことを携帯電話機３０に通知する。
【００２６】
電話機制御部２は、データ出力信号線Ｌ１ｃの“Ｌ”状態を検出して、データ要求信号線Ｌ１ｂから所定の信号、例えば画像データＳ１のデータのビット数に応じたクロック信号（「送信要求信号」）Ｃ１を順次ディジタルカメラ５０に出力する（時刻ｔ２）。データ要求信号線Ｌ１ｂは、電話機制御部２によりクロック信号Ｃ１が出力されていない場合は定常的に“Ｌ”状態である。
【００２７】
このクロック信号Ｃ１に応じてカメラ制御部２２は、メモリ２４に記憶されている画像データＳ１を順次読み出してデータ出力信号線Ｌ１ｃに出力する。カメラ制御部２２は１画像分の画像データＳ１の出力を完了するとデータ出力信号線Ｌ１ｃを再度“Ｈ”状態にし（時刻ｔ３）、画像データの送信準備中を携帯電話機３０に通知する。このときカメラ制御部２２では撮像部２６で撮像された第２番目の画像処理（１画像分の画像データをメモリ２４に書き込む処理を含む）が行なわれる（時間Ｍ１）。上記処理が終了すると、カメラ制御部２２はデータ出力信号線Ｌ１ｃを“Ｌ”状態にする（時刻ｔ４）。これにより画像データの送信準備が完了したことを携帯電話機３０に通知する。以後、時刻ｔ１〜時刻ｔ４の処理が繰り返され適宜画像データの送受信が行なわれる。このように、カメラ制御部２２は１画像単位の画像データを送信し、その画像データは、送信準備信号（データ出力信号線Ｌ１ｃの“Ｌ”状態）の出力後に電話機制御部２からのクロック信号の出力に応じて出力される。
【００２８】
電話機制御部２はデータ出力信号Ｌ１ｃに出力された画像データを順次受信してメモリ４に書き込み、１画像分の画像データがメモリ４に書き込まれると、その画像データを表示部６により閲覧可能に表示する。又、ディジタルカメラ５０の画像データの受信を中止する場合は、電話機制御部２がディジタルカメラ５０への規定の電源電圧Ｐ［Ｖ］の供給を停止し（時刻ｔｘ）、ディジタルカメラ５０の動作を停止させて画像データが送信されないようにする。このようにすることで、携帯電話機３０は画像データを受信しない時はディジタルカメラに電源を供給しないので、携帯電話機３０のバッテリ（電源）の浪費を防止することができる。
【００２９】
一方、例えば携帯電話機３０が画像データを受信中に着信した場合、電話機制御部２は優先して着信処理を行なうため、クロック信号Ｃ２の出力が一時的に中断し（ΔＭａ，ΔＭｂ）、クロック信号Ｃ２はクロック信号Ｃ２ａ〜Ｃ２ｃに分割されて出力される。この時、カメラ制御部２２はクロック信号Ｃ２の中断に応じて画像データＳ２の出力を中断する（ΔＭａ，ΔＭｂ）。そして、電話機制御部２から中断直前のクロック信号（Ｃ２ａ）続くクロック信号Ｃ２の出力が再開されると（Ｃ２ｂ，Ｃ２ｃ）、これに応じてカメラ制御部２２は中断直前に出力したデータ（Ｓ２ａ）に続く画像データＳ２を順次出力する（Ｓ２ｂ，Ｓ２ｃ）。これにより、電話機制御部２が画像データの取得以外の処理を行なうことにより一時的にクロック信号Ｃ２の出力を中断した場合でも、クロック信号Ｃ２の出力を再開することで中断した画像データＳ２を継続して受信することができる。
【００３０】
又、カメラ制御部２２がメモリ２４の画像データを所定の間隔（例えば２秒間隔）で最新の撮像画像の画像データに更新（上書き）するような場合、クロック信号Ｃ２の出力の中断期間（ΔＭａ，ΔＭｂ）が上記画像データの更新間隔より長くなると、その期間にメモリ２４の画像データは最新の画像データに更新されている。よって、電話機制御部２によるクロック信号Ｃ２の出力再開に応じてカメラ制御部２２から出力される画像データが上記クロック信号の中断前の画像と異なるものになるという問題が生じる。そこで、このような場合に、カメラ制御部２２はデータ出力信号線Ｌ１ｃ“Ｈ”の状態に変化させ、画像データの送信準備中であることを携帯電話機３０に通知する。一方、電話機制御部２は上記送信準備中の信号を検出し、上記中断した画像データＳ２の受信を再開する処理（クロック信号Ｃ２の出力再開）を中止する。そして、電話機制御部２２は、あらためてカメラ制御部２２から画像データの送信可能な状態を示す信号（データ出力信号線Ｌ１ｃの“Ｌ”の状態）を検出した場合は、上述した時刻ｔ１〜時刻ｔ４に示す通常の画像データの受信動作を行なうようにするとよい。これにより、ディジタルカメラ５０の画像更新間隔以上の期間、携帯電話機３０のクロック信号が中断した後に、画像データの送受信を正常に再開することができる。
【００３１】
ここで、画像データ（フレーム）の構成について図４を参照して説明する。この図において、画像データＳ１は、ディジタルカメラ５０で撮像された１画像の画像データ本体４００ｂとその１画像の属性を含むヘッダ４００ａ、及び画像データＳ１の後尾を示すエンドマーカ４００ｃからなる。
【００３２】
次に、上記クロック信号の出力と画像データの出力タイミングとの関係について図３を参照して説明する。この図において、画像データＳ１を構成する各ビットデータＳ１［０］、Ｓ１［１］、・・・、Ｓ１［ｎ］（ｎは任意の整数）は、クロック信号Ｃ１の立上り時刻ｔ２［０］（ｔ２［０］＝ｔ２）、ｔ２［１］、・・・、ｔ２［ｎ］に応じて出力される。又、時間Ｍ２はクロック信号Ｃ１の立上り時刻ｔ２［ｎ］から画像データＳ１の各ビットデータＳ１［ｎ］が出力されるまでの時間、時間Ｍ３はクロック信号Ｃ１の“Ｈ”期間の幅、時間Ｍ４（Ｍ５）はクロック信号Ｃ１の１周期の時間（周波数）をそれぞれ示している。又、クロック信号Ｃ１は通常は一定の周期であるが、電話機制御部２の処理の状態によりその周期が時間Ｍ４〜時間Ｍ５に変化する場合がある。このような場合、画像データＳ１のビットデータＳ１［ｎ］の出力タイミングもこれに応じて変化する（Ｓ１［１］〜Ｓ１［２］）。
【００３３】
ここで、ヘッダ４００ａの構成は図５に示すようになっている。例えばヘッダ４００ａは、後述する受信時のデータの異常検出のための項目「ダミー」や「画像データスタート認識」、又、画像データ本体の属性を示す項目「画像の幅」や「画像の高さ」等からなる３２バイトで構成されている。そして、電話機制御部２からのクロック信号が中断されない限り、カメラ制御部２２はヘッダ４００ａの各項目のデータを画像データＳ１（図３）として一括に送信する。このようにすると、従来、上記ヘッダの項目毎に行なっていたハンドシェイク動作（データの送受信を開始する前に送信側と受信側で通信可能な状態を確認するコマンドを送受信する動作）をまとめて一回で行なうことができ、ハンドシェイク動作にかかる時間が短縮される。
又、電話機制御部２は、受信した画像データＳ１のヘッダ４００ａの項目の「ダミー」又は「画像データスタート認識」データを、あらかじめ決められた値と比較することにより上記画像データＳ１の受信時の異常を検出することが可能である。例えば受信した「ダミー」のデータの値が“５５２Ａ”（１６進）であれば、固定値“ＡＡ５５”（１６進）とことなるので異常と検出される。
【００３４】
図６は、エンドマーカ４００ｃの２バイトのデータの値の一例を示した図である。この図において、エンドマーカはデータの値は“ＦＦＤ９”（１６進）であり、画像データＳ１の後尾を示すデータである。
図７は、画像データＳ１の出力順序の一例を示した図である。この図において、ヘッダ４００ｃに続いて順次画像データ本体４００ｂが送信され、最後にエンドマーカ４００ｃが送信される。
【００３５】
なお、ディジタルカメラが５０を携帯電話機３０の外部端子に直接装着して一体化してもよく、この場合は、接続のためのケーブルが必要無くなり、使い勝手がよい。
【００３６】
又、本発明は上述した実施の形態に限定されず、本発明の要旨を逸脱しない範囲で種々変更できることは勿論である。本実施の形態では携帯情報端末の一例として携帯電話機について説明したがこれに限られることはない。例えば、携帯型のパーソナルコンピュータや電子手帳等、ディジタルカメラが接続可能な端末であればよい。
【００３７】
又、本実施の形態では、携帯情報端末からディジタルカメラに画像データの送信を要求するクロック信号を出力する場合について説明したがこれに限られることはない。例えばディジタルカメラから画像データの送信可能な状態を携帯情報端末に通知した後に、適宜ディジタルカメラから画像データを送信するようにしてもよい。このようにすることで、携帯情報端末とディジタルカメラ間のデータ要求信号線が不用になり、相互接続をさらに容易にするとともに上記接続するためのコネクタやケーブルの信号線数が減ることにより製造コストを削減することができる。
【００３８】
又、画像データ（フレーム）を構成するヘッダやエンドマーカの内容は、ディジタルカメラや携帯情報端末の種類、機能、携帯に応じて適宜変更することが可能である。
【図面の簡単な説明】
【００３９】
【図１】本発明の一実施の形態による携帯電話機及びディジタルカメラの構成を示すブロック図である。
【図２】ディジタルカメラ５０から携帯電話機３０へ画像データを送信する場合のタイミング図である。
【図３】データ要求信号線Ｌ１ｂに出力されるクロック信号とデータ出力信号線Ｌ１ｃに出力される画像データのタイミング図である。
【図４】画像データＳ１の構成の概要を示した図である。
【図５】ヘッダ４００ａを構成する各項目の一例を示した図である。
【図６】エンドマーカ４００ｃの２バイトのデータの値の一例を示した図である。
【図７】画像データＳ１における画像データ本体４００ｂの出力順序の一例を示した図である。
【符号の説明】
【００４０】
２  端末制御部（端末側検出手段、受信手段、端末側出力手段）    ２２  カメラ制御部（カメラ側出力手段、送信手段、カメラ側検出手段）    ３０  携帯電話機（携帯情報端末）    ５０  ディジタルカメラ    Ｓ１、Ｓ２  画像データ    ４００ａ  ヘッダ（受信異常判別信号）
【図１】
2005341617.tif 000003
【図２】
2005341617.tif 000004
【図３】
2005341617.tif 000005
【図４】
2005341617.tif 000006
【図５】
2005341617.tif 000007
【図６】
2005341617.tif 000008
【図７】
2005341617.tif 000009